(57)【要約】【課題】光源が発光した際の光漏れを遮断し、導光部のみを光らせて見栄えを良くすると共に、部品点数を減らして組立工数の削減が図れるようにする。【解決手段】第２の筐体２内に設けられたＬＥＤ１１と、ＬＥＤ１１で発光した光を第２の筐体２外へと導く導光部材１２，１３と、導光部材１２、１３の外周縁に一体的に形成された遮光部材１４，１５とからなるＬＥＤ発光部９，１０を備える。また、遮光部材１４，１５は、可視光を透過させず且つ赤外線を透過させる。本発明によれば、導光部材１２，１３の外周縁に、可視光を透過させず且つ赤外線を透過させる遮光部材１４，１５を一体的に形成してあるので、導光部材１２，１３からの光の漏れを遮断することができると共に、部品点数も削減することができる。【選択図】　図３
2004007147.tif 000002
【特許請求の範囲】
【請求項１】
筐体内に設けられた光源と、
前記光源からの光を前記筐体外へと導く導光部材と、
前記導光部材の少なくとも外周縁に一体的に形成され、可視光を透過させず且つ赤外線を透過させる遮光部材と、
からなる発光部を備えた
ことを特徴とする携帯通信端末。
【請求項２】
請求項１記載の携帯通信端末であって、
前記導光部材と前記遮光部材は２色成形により一体化されている
ことを特徴とする携帯通信端末。
【請求項３】
請求項１記載の携帯通信端末であって、
前記遮光部材を透過して赤外線を発信する赤外線発信部を前記筐体内に設けた
ことを特徴とする携帯通信端末。
【請求項４】
請求項３記載の携帯通信端末であって、
前記発光部を前記筐体の先端側に設けた
ことを特徴とする携帯通信端末。
【請求項５】
請求項１記載の携帯通信端末であって、
前記光源からの光が前記筐体の表面及び背面から見えるように、前記導光部材を配置した
ことを特徴とする携帯通信端末。
【発明の詳細な説明】
【０００１】
【発明の属する技術分野】
本発明は、例えば携帯電話機などの携帯通信端末に関し、詳細には筐体内に設けられた発光ダイオード（ＬＥＤ（Ｌｉｇｈｔ　Ｅｍｉｔｔｉｎｇ　Ｄｉｏｄｅ））などの光源が発光した際の光漏れを遮断する遮光技術に関する。
【０００２】
【従来の技術】
例えば、携帯電話機の有する機能の一つとして充電表示機能がある。この充電表示機能は、携帯電話機を充電器にセットすると、筐体内に設けられたＬＥＤ発光部が点灯することで充電状態であることをユーザに示すようになっている。
【０００３】
ＬＥＤ発光部は、筐体内に設けられた光源であるＬＥＤと、このＬＥＤが発光した光を筐体外へと導く導光部材とから構成されている。導光部材は、例えば乳白色をしたアクリルから形成され、筐体の一部に形成された孔部に取り付けられる。
【０００４】
【発明が解決しようとする課題】
ところで、上記構成の携帯電話機では、ＬＥＤの光を導く導光部材だけ光るのではなく、その周縁である筐体部分もぼんやり光ってしまう。特に、暗闇の中では、光漏れがより一層強調されてしまう。このように、ＬＥＤの光が導光部材以外の部分にも漏れると、見た感じの見栄えが悪くなる。
【０００５】
光漏れを防止するために、さらに従来は、ＬＥＤの周囲に光り漏れ防止用の専用部品を別途取り付けたり貼ったりしていた。しかしながら、光漏れ防止用部品を別途用意すると、部品点数が多くなるばかりか、光漏れ防止用部品の組み付け作業も面倒になる。
【０００６】
そこで本発明は、このような課題に鑑みてなされたものであり、光源が発光した際の光漏れを遮断し、導光部のみを光らせて見栄えを良くすると共に、部品点数を減らして組立工数の削減が図れる携帯通信端末を提供することを目的とする。
【０００７】
【課題を解決するための手段】
本発明の携帯通信端末は、筐体内に設けられた光源と、この光源からの光を筐体外へと導く導光部材と、導光部材の少なくとも外周縁に一体的に形成された遮光部材とからなる発光部を備える。そして、遮光部材としては、可視光を透過させず且つ赤外線を透過させる。
【０００８】
本発明の携帯通信端末によれば、導光部材の外周縁に遮光部材を一体的に形成してあるので、部品点数の削減が図れる。また、遮光部材は可視光を透過させないため、光源からの光は、この遮光部材によって遮られ導光部材の周縁から筐体外に漏れ出ることはない。
【０００９】
【発明の実施の形態】
以下、本発明を適用した具体的な実施の形態について、図面を参照しながら詳細に説明する。本実施の形態は、携帯通信端末の一つである携帯電話機に、本発明を適用したものである。
【００１０】
［携帯電話機の構成］
本実施の形態の携帯電話機は、図１及び図２に示すように、第１の筐体１と、この第１の筐体１に対して折り重なるように二つ折りにされる第２の筐体２とを有した、いわゆる折り畳み式の携帯電話機である。
【００１１】
第１の筐体１と第２の筐体２は、互いの一端側を連結部（ヒンジ部）３を介して互いに回動自在とされており、図１の折り畳んだ状態と図２の開いた状態で使用される。例えば、この折り畳み式の携帯電話機では、充電時や電話をかけない場合には図１の折り畳んだ状態とし、電話をかけたりメールを送受信する場合には図２の開いた状態として使用する。
【００１２】
第１の筐体１には、例えば音声入出力部、デジタル信号処理部、ＲＦ（Ｒａｄｉｏ　Ｆｒｅｑｕｅｎｃｙ）入出力部、制御部、電源部などが内蔵されている。また、この第１の筐体１の上面（第２の筐体２との対向面）には、図２（ａ）に示すように、キーボタン４やジョグダイヤル５などの操作部が設けられている。
【００１３】
第２の筐体２には、例えば画像表示部である液晶表示装置（ＬＣＤユニット）６，７、アンテナ８、発光部であるＬＥＤ発光部９，１０などが設けられている。液晶表示装置６，７は、第１の筐体１と重なり合う側の表面２ａと、その反対側の背面２ｂにそれぞれ設けられている。ＬＥＤ発光部９，１０は、第２の筐体２の先端とその先端近傍の表面２ａにそれぞれ設けられている。
【００１４】
前記ＬＥＤ発光部９，１０は、図３及び図４に示すように、光源であるＬＥＤ１１と、このＬＥＤ１１が発光した光を第２の筐体２の内側から外方へと導く導光部材１２，１３と、この導光部材１２，１３の外周縁に一体的に形成された遮光部材１４，１５とから構成されている。
【００１５】
ＬＥＤ１１は、二つのＬＥＤ発光部９，１０の共通した光源として機能し、可撓性を有したプリント配線基板１６上に設けられている。また、ＬＥＤ１１の隣には、例えばパーソナルコンピュータと携帯電話機との間や携帯電話機同士との間で住所や電話番号などのデータを赤外線通信（ＩｒＤＡ光通信規格による赤外線通信）によって送受信するための赤外線発信部１７がプリント配線基板１６上に設けられている。これらＬＥＤ１１及び赤外線発信部１７を設けたプリント配線基板１６は、図３に示すように、第２の筐体２を構成する上ハーフ２Ａ及び下ハーフ２Ｂのうち下ハーフ２Ｂの内面に固定されている。
【００１６】
なお、この携帯電話機に内蔵される赤外線通信機能は、上記した機能の他に、一例を挙げると、電子レンジや冷蔵庫などの家電製品との間で通信を行い、これら家電製品をインターネットに接続する機能や、ビデオテープレコーダやＣＤプレーヤなどの各種オーディオ機器のリモートコントローラとしての機能を持つ。
【００１７】
第２の筐体２の先端に設けられる導光部材１２と遮光部材１４は、図５及び図６に示すように、それぞれ異なる樹脂材料を２色成形することによって一体化されたパネル１８を構成する。このパネル１８は、図４に示すように、第２の筐体２の先端に形成された開口孔１９よりその内部に見えるＬＥＤ１１及び赤外線発信部１７を覆うようにして第２の筐体２に取り付けられる。そして、このパネル１８を構成する導光部材１２は、ＬＥＤ１１が設けられた位置と対向する位置に形成されており、第２の筐体２の先端から背面２ｂにかけて細長いほぼ長方形状をなす形とされている。遮光部材１４は、導光部材１２の外周囲を取り囲むようにして形成されている。
【００１８】
一方、第２の筐体２の先端近傍の表面２ａに設けられる導光部材１３と遮光部材１５は、図７に示すように、やはり前記パネル１８と同じく、それぞれ異なる樹脂材料を２色成形することによって一体化されたチップ２０を構成する。このチップ２０を構成する導光部材１３は、下ハーフ２Ｂに形成された円形孔２１に填め込まれるほぼ円柱形状とされている。遮光部材１５は、その円柱形状とされた導光部材１３の一端側を取り囲む平板として形成されている。
【００１９】
これらパネル１８及びチップ２０を構成する導光部材１２，１３は、ＬＥＤ１１の光を第２の筐体２の内部から外方へと導くことのできる材料、例えばアクリルが使用される。一方、遮光部材１４，１５は、ＬＥＤ１１が発光したときに、そのＬＥＤ１１の光が導光部材１２，１３の外周囲から漏れないようにし（つまり可視光を透過させないようにする）、且つ赤外線発信部１７から発信される赤外線を透過させることのできる材料、例えばポリカーボネートが使用される。
【００２０】
特に、遮光部材１４，１５には、ＩｒＤＡ動作波長が８７０〜８８０ｎｍの赤外線を使用したときに、当該赤外線を約９０％透過させる樹脂材料を使用することが望ましい。本実施の形態では、この条件を満たす一例として、例えば図８の光線透過率曲線を持つ黒色のポリカーボネートを使用する。図８中、Ｃ線は遮光部材１４，１５の厚さが１ｍｍのときの曲線で、Ｄ線は遮光部材１４，１５の厚さが２ｍｍのときの曲線である。
【００２１】
このような異なる材料からなるパネル１８及びチップ２０を形成するには、１次側にアクリルを、２次側にポリカーボネートを使用して２色成形により形成する。
【００２２】
なお、可視光を透過させず且つ赤外線を透過させる遮光部材１４，１５を使用することで、赤外線によるデータの送受信が安定し、室内だけでなく屋外での通信時にも安定した通信状態が実現できる。
【００２３】
［実施の形態の作用効果］
以上のように構成された携帯電話機においては、第１の筐体１内に内蔵された電源（バッテリー）を充電するために当該携帯電話機を充電器に載せると、ＬＥＤ１１が発光し、ユーザはバッテリーが充電されていることを前記光によって知る。
【００２４】
このとき、導光部材１２の外周囲には、可視光を透過させないが赤外線は透過させる遮光部材１４を２色成形によって形成してあるので、ＬＥＤ１１からの光はこの遮光部材１４によって遮られ、導光部材１２以外の部分から第２の筐体２の外に漏れることはない。したがって、導光部材１２が設けられる部分のみ光ることになり、見栄えが良くなる。また、充電器に携帯電話機を載せた状態で第２の筐体２を開いた場合は、第２の筐体２の表面２ａに設けられたＬＥＤ発光部１０が光ることになる。この場合も同様に、導光部材１３以外の部分からＬＥＤ１１の光が漏れることはない。
【００２５】
また、携帯電話機が省電力モード（スリープモード）のときには、ＬＥＤ発光部９，１０が点滅する。省電力モードとは、電源がオンのとき（液晶表示装置６，７の液晶表示部が点灯しているとき）、第２の筐体２を図２に示すように開いた状態で所定時間が経つと、液晶表示部が真っ暗になる。そのときに、ＬＥＤ発光部９，１０が点滅し、携帯電話機の電源が入っていることをユーザに知らせる。この省電力モードでは、やはり導光部材１３の外周囲には、可視光を透過させず且つ赤外線を透過させる遮光部材１５を２色成形によって形成してあるので、導光部材１３以外の部分から第２の筐体２の外方にＬＥＤ光が漏れることはない。
【００２６】
また、液晶表示装置６，７が設けられる第２の筐体２の先端側に赤外線発信部１７を設けてあるので、例えば他の携帯電話機との間で通信を行うような場合に、赤外線発信部１７を任意の位置に自由に向けることができるため、通信し易いという利点がある。
【００２７】
以上、本発明を適用した具体的な実施の形態について説明したが、本発明は上述の実施形態に制限されることなく種々の変更が可能である。
【００２８】
例えば、上述の実施の形態では、折り畳み式携帯電話機を例に挙げて説明したが、折り畳み式ではないストレートタイプの携帯電話機に本発明を適用してもよいし、或いはＰＤＡ（Ｐｅｒｓｏｎａｌ　Ｄｉｇｉｔａｌ　Ａｓｓｉｓｔａｎｔ）などの携帯通信端末に適用しても同様の作用効果がある。また、本実施の形態では、ＬＥＤを光源としたが、特にＬＥＤに制限されることもない。
【００２９】
また、上述の実施の形態では、ＬＥＤ発光部９，１０と赤外線発信部１７を第２の筐体２に内蔵させたが、これらＬＥＤ発光部９，１０と赤外線発信部１７を携帯電話機とは別の外付けモジュールとして用意し、このモジュールを携帯電話機の外部接続端子に接続して使用するようにしてもよい。
【００３０】
また、上述の実施の形態では、ＬＥＤ１１（光源）からの光を第２の筐体２の背面２ｂに導くための導光部材１２と、表面２ａに導くための導光部材１３を別部品で構成したが、一つの導光部材を用いて表面２ａから背面２ｂまで延長した形状にしてもよい。もちろん、２つだけでなく、複数の導光部材を有していても、表面２ａと背面２ｂの両面から視認できる位置にあれば、何ら問題ないことは言うまでもない。
【００３１】
【発明の効果】
本発明によれば、導光部材の外周縁に、可視光を透過させず且つ赤外線を透過させる遮光部材を一体的に形成しているため、光源からの光はこの遮光部材によって遮られ、導光部材の周縁から筐体外に漏れ出ることを防止することができる。したがって、導光部材が設けられる部分のみを光らせることができ、見栄えを良くすることができる。
【００３２】
また、本発明によれば、導光部材の外周縁に遮光部材を一体的に形成してあるので、光漏れ防止用部品を別途用意する必要がなく、部品点数の削減を図ることができ、携帯通信端末の組立作業も容易なものとすることができる。
【図面の簡単な説明】
【図１】本実施の形態の携帯電話機を二つ折りに折り畳んだ状態を示す斜視図である。
【図２】本実施の形態の携帯電話機を開いた状態を示す斜視図である。
【図３】第２の筐体内に内蔵されたＬＥＤ発光部を示す分解斜視図である。
【図４】ＬＥＤ発光部のパネルを取り外した状態を示す要部拡大斜視図である。
【図５】ＬＥＤ発光部のパネルを示す図であり、（ａ）は正面図、（ｂ）は平面図、（ｃ）は右側面図である。
【図６】図５（ｂ）のＡ−Ａ線位置における拡大断面図である。
【図７】ＬＥＤ発光部のチップを示す図であり、（ａ）は上方から見たときの斜視図、（ｂ）は下方から見たときの斜視図、（ｃ）は（ａ）のＢ−Ｂ線位置における断面図である。
【図８】本実施の形態で使用したポリカーボネートの光線透過率曲線を示す図である。
【符号の説明】
１…第１の筐体、２…第２の筐体、６，７…液晶表示装置、９，１０…ＬＥＤ発光部、１１…ＬＥＤ（光源）、１２，１３…導光部材、１４，１５…遮光部材、１７…赤外線発信部、１８…パネル、２０…チップ
【図１】
2004007147.tif 000003
【図２】
2004007147.tif 000004
【図３】
2004007147.tif 000005
【図４】
2004007147.tif 000006
【図５】
2004007147.tif 000007
【図６】
2004007147.tif 000008
【図７】
2004007147.tif 000009
【図８】
2004007147.tif 000010